(57)【特許請求の範囲】
【請求項１】
ダイとパンチとブランクホルダから成る金型において、前記ダイ及びパンチの少なくとも一方は、それらを製作する際の製品形状部の深さが１００ｍｍ以下になるように分割され、前記ダイ又はパンチの分割面と製品形状面との境界部には丸みのＲがつけられていることを特徴とする分割式金型。
【請求項２】
請求項１に記載の分割式金型において、前記ダイまたはパンチの分割面は、水平方向または垂直方向であることを特徴とする分割式金型。
【請求項３】
請求項１に記載の分割式金型において、前記ブランクホルダと対向するダイフェースがダイに対して分割されていることを特徴とする分割式金型。
【発明の詳細な説明】
【０００１】
【発明の属する技術分野】
本発明は車体や燃料タンク等をプレス成形する金型のうち、特にダイまたはパンチを分割した金型に関する。
【０００２】
【従来の技術】
一般に金型はダイとパンチとブランクホルダからなり、従来にあってはフルモールド法にてダイやパンチを鋳造していた。
しかしながら、ダイやパンチを一体鋳造すると、ブランク材と接する製品形状部だけが早く摩耗するので、その部分を補修したり、場合によっては他の部分に問題はないのに新たなダイやパンチを製作し直す必要があった。また、製品のマイナーチェンジにも簡単に対応することができなかった。
【０００３】
上記の課題を解消するために、実開平６０−１５１６２５号公報、実開平２−４８２１８号公報或いは実開平７−４２６６１号公報が提案されている。
実開平７−４２６６１号公報に提案される金型を、図９に基づいて説明すると、ダイ１００、パンチ１０１及びブランクホルダ１０２を、それぞれワークに当接する専用部１００a、１０１ａ、１０２ａとこれら専用部を支持する汎用部１００ｂ、１０１ｂ、１０２ｂに分割し、専用部１００a、１０１ａ、１０２ａのみを交換可能としている。
【０００４】
【発明が解決しようとする課題】
上述した先行技術はいずれも製品形状部（専用部）をダイ本体或いはパンチ本体から分割したものであり、製品形状部については従来と変ったところはない。
【０００５】
斯かる製品形状部の製作は図１０に示すように、切削工具１０３を用いて行うが、燃料タンクや複雑形状部等では製品部の深さ（Ｈ）が１００ｍｍを超えることがあり、このような深い形状の製品形状部を製作するには、長い切削工具を用いなければならず、切削工具が長くなると工具の径を太くしなければならず、精密な加工が困難になり、結局手間とコストがかかる放電加工などの特殊な加工を施さなければならない。
【０００６】
【課題を解決するための手段】
上記課題を解決すべく本発明は、ダイとパンチとブランクホルダから成る金型において、前記ダイ及びパンチの少なくとも一方は、それらを製作する際の製品形状部の深さが１００ｍｍ以下になるように分割された構成とした。
加工深さが１００ｍｍ以下になることで、切削工具として短く且つ細いものを使用でき、精密な加工が可能となる。
【０００７】
前記ダイ又はパンチの分割面は、水平方向に限らず垂直方向或いは斜めでもよい。
【０００８】
また、ダイ又はパンチの分割面と製品形状面との境界部に丸みがないと、欠けたり分割線が製品に転写されるなどの不具合が生じ易いため、該境界部に丸みのＲ（半径１ｍｍ程度）を形成することが好ましい。
【０００９】
また、前記ブランクホルダと対向するダイフェースについては、ダイに対して分割することが好ましい。この場合、フラットダイフェースであれば鋼材プレートを用い、曲率ダイフェースであれば鋳造品を用いる。
【００１１】
【発明の実施の形態】
以下に本発明の実施の形態を添付図面に基づいて説明する。図１は本発明に係る分割式金型の断面図、図２は図１のＡ−Ａ方向断面図であり、分割式金型１はダイ１０、パンチ２０及びブランクホルダ３０から構成され、ダイ１０は上側分割ダイ１１と下側分割ダイ１２に分割され、パンチ２０は上側分割パンチ２１と下側分割パンチ２２に分割され、これら各分割ダイ及び分割パンチは鋳造品である。
【００１２】
また、ダイ１０及びパンチ２０はブランク材を成形する製品形状面１０ａ、２０ａを備えており、これら製品形状面１０ａ、２０ａは鋳造後に切削加工にて形成される。
【００１３】
ここで、ダイ１０をいくつに分割するかは製品形状部の深さ（Ｈ）を目安とし、具体的には製品形状部の深さ（Ｈ）が１００ｍｍ以下になるように分割することで、正確な仕上げ加工を施すことができる。また、パンチ２０についても同様の観点から分割する。
【００１４】
また、分割面１３は製品面に対して略直交する方向とし、更に分割面１３と製品形状面１０ａとの境界部１４は図３に示すように微小Ｒ（円形１ｍｍ程度）をつけている。なお、パンチ２０の分割面２３についても同様に微小Ｒを設ける。
【００１５】
以上のダイ１０の製品形状面１０ａを加工するには、先ず、鋳造後の上側分割ダイ１１を製品形状面１０ａが上面になるように固定し、次いで図４（ａ）に示すように、切削工具４０を用いて、製品形状面１０ａを切削加工しその表面を正確に仕上げる。
【００１６】
上側分割ダイ１１の製品形状面１０ａの仕上げ加工が終了したならば、上側分割ダイ１１と下側分割ダイ１２の外側部分をボルト１５ａを用いて締付けることで下側分割ダイ１２を上側分割ダイ１１の上に固定し、切削工具４０を用いて上側分割ダイ１１の製品形状面１０ａを仕上げ加工する。このように、することで、上側分割ダイ１１及び下側分割ダイ１２の製品形状面１０ａのいずれも短く細い切削工具４０を用いて加工することができる。
そして、上記の加工が終了したならば、上側分割ダイ１１と下側分割ダイ１２の内側部分をボルト１５ｂを用いて恒久的に締付ける。なお、加工時に用いたボルト１５ａについてはそのまま恒久的な締付けボルトとして用いてもよい。
【００１７】
また、図示例のように、下側分割ダイ１２を下側分割ダイ１２の側から上側分割ダイ１１に取り付けることで、作業台から上側分割ダイ１１を外すことなくそのまま下側分割ダイ１２を固定できるので作業性が向上するが、作業の分散を狙って、別々の箇所で上側分割ダイ１１と下側分割ダイ１２の仕上げ加工を行ってもよい。
【００１８】
図５乃至図８は別実施例を示し、図５に示すダイ１０はダイフェース１７を更に分割したもので、ダイ１０は３個の分割ダイから構成される。そして、ダイフェース１７の上側分割ダイと当接するコーナ部１８にも微小Ｒを設けている。
【００１９】
また、図６（ａ）に示すパンチの別実施例は、上側分割パンチ２１を中実とし、ボルト２４にて上側分割パンチ２１と下側分割パンチ２２とを結合するようにしている。尚、この実施例にあってはボルト２４の頭部が製品形状面２０ａの一部を構成することになるので、図６（ｂ）に示すように、パンチなじみ部（凸部）にボルト締付け穴を形成するとそれが製品に転写されるので、ダイなじみ部（凹部）にボルト締付け穴を形成している。なお、通常の場合は下側分割パンチ２２側から締付ける。
【００２０】
図７及び図８に示す実施例は、ダイ１０及びパンチ２０の分割面１３，２３を垂直にし、ダイ１０及びパンチ２０を左右に分割したものであるが、分割の方向は水平、垂直に限らない。
【００２１】
【発明の効果】
以上に説明したように本発明によれば、金型装置を構成するダイまたはパンチのうちの少なくとも一方を、それらを製作する際の製品形状部の深さが１００ｍｍ以下になるように分割したので、製品形状面となる面を加工する切削工具として、短く且つ細いものを使用できる。
その結果、加工精度が高くなり、放電加工などの特殊な加工を施すことなく切削加工のみで足り、加工時間が短縮できる。また、ダイ或いはパンチを分割することで、加工作業を分担して行うことができ、更なる加工時間の短縮につながる。
【００２２】
また、分割面と製品形状面との境界部に小さな丸み（Ｒ）を形成することで、欠けたり分割線が製品に転写されるなどの不具合が生じることを有効に防止できる。
【図面の簡単な説明】
【図１】本発明に係る分割式金型の断面図
【図２】図１のＡ−Ａ方向断面図
【図３】分割面と製品形状面との境界部の拡大図
【図４】（ａ）は上側分割ダイを切削加工している状態を示す図、（ｂ）は下側分割ダイを切削加工している状態を示す図
【図５】別実施例に係る金型を構成するダイの分解図
【図６】（ａ）は別実施例に係る金型を構成するパンチの分解図、（ｂ）はパンチなじみ部とダイなじみ部を説明した図
【図７】別実施例に係る金型を構成するダイの分解図
【図８】別実施例に係る金型を構成するパンチの分解図
【図９】従来の金型の断面図
【図１０】従来の金型の切削加工を示す図
【符号の説明】
１…分割式金型、１０…ダイ、１０ａ…製品形状面、１１…上側分割ダイ、１２…下側分割ダイ、１３…分割面、１４…境界部、１５ａ，１５ｂ…ボルト、１７…ダイフェース、１８…ダイフェースのコーナ部、２０…パンチ、２０ａ…製品形状面、２１…上側分割パンチ、２２…下側分割パンチ、２３…分割面、２４…ボルト、３０…ブランクホルダ、４０…切削工具。
【図１】
0003986238.tif 000002
【図２】
0003986238.tif 000003
【図３】
0003986238.tif 000004
【図４】
0003986238.tif 000005
【図５】
0003986238.tif 000006
【図６】
0003986238.tif 000007
【図７】
0003986238.tif 000008
【図８】
0003986238.tif 000009
【図９】
0003986238.tif 000010
【図１０】
0003986238.tif 000011